(57)【特許請求の範囲】
【請求項１】
側板に凹設された踏み板挿入凹部に踏み板の端部を挿入しつつ、その端部の側端面から長手方向に向かって切込まれているクサビ体挿入用切込み部にクサビ体を圧入して踏み板を側板に固定してなる階段の踏み板固定構造であって、クサビ体は先端部に向かうほど断面が小さくなっており、クサビ体挿入用切込み部は踏み板の厚み方向に切り込まれており、このクサビ体挿入用切り込み部は踏み板端部の前端部側および後端部側の側端面に設けられており、踏み板端部の踏み板挿入凹部への挿入時にはクサビ体の後背面を踏み板挿入凹部の底部に当接させてクサビ体をその先端部からクサビ体挿入用切込み部に圧入し、クサビ体がクサビ体挿入用切込み部に圧入されるにしたがい踏み板の端部の前端部および後端部それぞれが踏み板に対して前方および後方に拡がり踏み板挿入凹部の側部と当接することにより踏み板端部が踏み板挿入凹部に嵌合して踏み板が側板に固定されることを特徴とする階段の踏み板固定構造。
【請求項２】
クサビ体は、四角錐台形状を有することを特徴とする請求項１に記載の階段の踏み板固定構造。
【発明の詳細な説明】
【技術分野】
【０００１】
本願発明は、階段の踏み板固定構造に関するものである。
【背景技術】
【０００２】
従来、図４に示すような階段が知られている。この階段の踏み板１と側板２の固定構造は、側板２に凹設された踏み板挿入凹部に踏み板１の端部を挿入するとともに、その端部に接着剤を塗布し、さらに側板２の外方から踏み板１に向けて釘を打入して踏み板１を側板２に固定することが知られている。
【０００３】
しかしながら、上述の踏み板挿入凹部に踏み板１を挿入して接着剤さらには釘を用いて固定する方法にあっては、釘の使用時に釘の打入方向が側板２の外面側からの作業となるため、たとえば図４の階段の左側部において側板２があらかじめ壁面に固定された状態で踏み板１を取り付け固定させようとした場合には、側板２の外方からの釘の打込みができず接着剤のみの固定となっていた。これにより、固定強度が低下し、踏み板１の荷重によるたわみ等によりキシミ音が発生するという問題があった。
【０００４】
そこで、踏み板１の側板２への固定をより確実に行うために、たとえば、図５（ａ）（ｂ）のように踏み板１の下側に位置するように踏み板挿入凹部２１内に嵌入させるようにしてクサビ４を配置させ、クサビ４側から側板２に向けて釘５（図５（ａ）では図示なし）を打入することによってクサビ４にて踏み板１の端部１１を踏み板挿入凹部２１内に保持させた状態で踏み板１とクサビ４を固定させることが知られている（たとえば、特許文献１〜３参照）。
【特許文献１】特開平８−１９３３９８号公報
【特許文献２】特開平９−１３７５７０号公報
【特許文献３】特開２００４−１４３８６６号公報
【発明の開示】
【発明が解決しようとする課題】
【０００５】
しかしながら、以上の従来例では、踏み板１の下面と踏み板挿入凹部２１との隙間にクサビ４を嵌入し、さらにそのクサビ４に釘５を打入するものであるが、クサビ４の嵌入作業あるいは釘５の打ち込み作業に手間がかかり作業性が必ずしも良好ではなかった。
【０００６】
そこで、本願発明では、踏み板を側板に確実に取り付けて固定させることができるとともに、その取り付け作業を容易に行うことができる階段の踏み板固定構造を提供することを課題としている。
【課題を解決するための手段】
【０００７】
本願発明の階段の踏み板固定構造は、前記の課題を解決するものとして、第１には、側板に凹設された踏み板挿入凹部に踏み板の端部を挿入しつつ、その端部の側端面から長手方向に向かって切込まれているクサビ体挿入用切込み部にクサビ体を圧入して踏み板を側板に固定してなる階段の踏み板固定構造であって、クサビ体は先端部に向かうほど断面が小さくなっており、クサビ体挿入用切込み部は踏み板の厚み方向に切り込まれており、このクサビ体挿入用切り込み部は踏み板端部の前端部側および後端部側の側端面に設けられており、踏み板端部の踏み板挿入凹部への挿入時にはクサビ体の後背面を踏み板挿入凹部の底部に当接させてクサビ体をその先端部からクサビ体挿入用切込み部に圧入し、クサビ体がクサビ体挿入用切込み部に圧入されるにしたがい踏み板の端部の前端部および後端部それぞれが踏み板に対して前方および後方に拡がり踏み板挿入凹部の側部と当接することにより踏み板端部が踏み板挿入凹部に嵌合して踏み板が側板に固定されることを特徴とする。
【０００８】
第２には、上記第１の発明の階段の踏み板固定構造において、クサビ体は、四角錐台形状を有することを特徴とする。
【発明の効果】
【０００９】
上記第１−２の発明によれば、クサビ体をその先端部からクサビ体挿入用切込み部に圧入し、踏み板端部をクサビ体の圧入方向に対して直角方向に膨出させて踏み板挿入凹部に嵌合させて固定してなることにより、踏み板を側板に確実に取り付けて固定させることができるとともに、その取り付け作業を容易に行うことができる。踏み板端部の側端面の両端２箇所にクサビ体挿入用切込み部を設け、それぞれのクサビ体挿入用切込み部にクサビ体を圧入することにより、踏み板端部はクサビ体の圧入方向に対して直角方向により効果的に膨出するため、さらに確実に固定させることができる。
【発明を実施するための最良の形態】
【００１１】
本願発明は上記のとおりの特徴をもつものであるが、以下に図面に沿ってその実施の形態について説明する。図１は階段の左側の本願発明の階段の踏み板固定構造を示した斜視図である。図２は踏み板を側板に挿入して固定させる様子を示した平面図である。図３は本願発明におけるクサビ体の一実施形態を示した斜視図である。
【００１２】
本願発明の階段の踏み板固定構造は、図１，２に示すように、側板２に凹設された踏み板挿入凹部２１に踏み板１の端部１１を挿入しつつ、その端部１１の側端面１２から長手方向に向かって切込まれているクサビ体挿入用切込み部１３にクサビ体３を圧入して踏み板１を側板２に固定している。なお、クサビ体挿入用切込み部１３は、踏み板１の厚み方向に切込まれており、このクサビ体挿入用切込み部１３の最大幅は踏み板１の厚さと一致する。
【００１３】
クサビ体３は先端部３１に向かうほど断面が小さくなっており、踏み板１の端部１１を踏み板挿入凹部２１に挿入させる際には、クサビ体３の後背面３２を踏み板挿入凹部２１に当接させてクサビ体３をその先端部３１からクサビ体挿入用切込み部１３に圧入させるようにする。これによって、クサビ体挿入用切込み部１３に圧入されたクサビ体３を介して分断されている踏み板１の端部１１の少なくともいづれか一方が外方に膨出し（踏み板１に対して前方または後方に膨れる）、すなわち踏み板１の端部１１がクサビ体３の圧入方向に対して直角方向に膨出して踏み板挿入凹部２１と嵌合することになり、作業性良く踏み板１を確実に側板２に固定することができるのである。
【００１４】
側板２に凹設された踏み板挿入凹部２１の大きさは、そこに挿入される踏み板１の端部１１の大きさよりも若干大きくなるようにして多少のクリアランスを持つようにすることが好ましい。これによって、踏み板１の端部１１を容易に踏み板挿入凹部２１に挿入することができる。
【００１５】
クサビ体３は、たとえば図３に示すように断面形状が角形のもので幅寸法が徐々に狭くなっている四角錐台形状のものが考慮されるが、クサビ体３をクサビ体挿入用切込み部１３に圧入したときに踏み板１の端部１１が圧入方向に対して直角方向に膨出するものであればこれに限定されるものではない。
【００１６】
本願発明は、上述のとおり、踏み板挿入凹部２１に踏み板１の端部１１を挿入しつつこのクサビ体挿入用切込み部１３にクサビ体３を圧入するものであるが、クサビ体３の先端部３１をクサビ体挿入用切込み部１３にあらかじめ所定量挿入させておくようにすることが考慮される。すなわち、クサビ体３の先端部３１の一部をクサビ体挿入用切込み部１３に挿入した状態で、踏み板１の端部１１を踏み板挿入凹部２１に挿入するものである。これによって、踏み板１の端部１１を踏み板挿入凹部２１に挿入させるときには、クサビ体３の後背面３２が踏み板挿入凹部２１の凹面２１ａに確実に当接することになり、クサビ体３を目的の位置に容易に圧入させることができる。また、クサビ体３をクサビ体挿入用切り込み部１３の位置に位置決めしながら踏み板１の端部１１を踏み板挿入凹部２１に挿入させる作業は非常に手間がかかるため、この作業を容易なものとすることもできる。
【００１７】
したがって、クサビ体挿入用切込み部１３の幅は、クサビ体３の先端部３１をあらかじめ挿入できる程度の幅で切り込まれていることが考慮される。クサビ体挿入用切込み部１３の位置や切込みの長さは、クサビ体３を圧入して踏み板１の端部１１が圧入方向に対して直角方向に膨出することができるような位置に切り込まれていればよく特に限定されるものでない。好適には、図１，２に示したように、踏み板１の端部１１の側端面１２の両端２箇所にクサビ体挿入用切込み部１３を設け、それぞれのクサビ体挿入用切込み部１３にクサビ体３を圧入することが考慮される。たとえば、クサビ体３として四角錐台形状のものを用いた場合には、このクサビ体３は長手方向にテーパー状になっているため、クサビ体３がクサビ体挿入用切込み部１３に徐々に圧入されるにしたがい踏み板１の端部１１の前端部１１ａおよび後端部１１ｂがクサビ体３に沿って外方に向かって拡がり、結果として、踏み板１の端部１１が圧入方向に対して直角方向に膨出する。これによって、踏み板１の端部１１と踏み板挿入凹部２１とが強固に嵌合することになり、踏み板１を側板２に確実に固定することができる。
【図面の簡単な説明】
【００１８】
【図１】階段の左側の本願発明の階段の踏み板固定構造を示した斜視図である。
【図２】踏み板を側板に挿入して固定させる様子を示した平面図である。
【図３】本願発明におけるクサビ体の一実施形態を示した斜視図である。
【図４】従来技術における階段を模式的に示した斜視図である。
【図５】（ａ）クサビを用いて踏み板を側板に固定した従来技術による階段の踏み板固定構造を示した斜視図である。（ｂ）従来技術による階段の踏み板固定構造を示した断面図である。
【符号の説明】
【００１９】
１  踏み板
１１  端部
１１ａ  前端部
１１ｂ  後端部
１２  側端面
１３  クサビ体挿入用切込み部
２  側板
２１  踏み板挿入凹部
２１ａ  凹面
３  クサビ体
３１  先端部
３２  後背面
４  クサビ
５  釘
【図１】
0005259921.tif 000002
【図２】
0005259921.tif 000003
【図３】
0005259921.tif 000004
【図４】
0005259921.tif 000005
【図５】
0005259921.tif 000006